(57)【要約】      （修正有）【課題】棚板の増設ができ、組み立ての利便性が高まるラック連結構造を提供する。【解決手段】ラック連結構造は、四本の支柱１０、複数のガスケット２０、複数のスリーブ３０及び少なくとも二枚の棚板４０を含む。これらのスリーブ３０は互いに向かい合わせる第一、第二円弧板３１、３２がこれらの支柱１０に挟んで組み立てられ、そして互いに同じ高さに合わせられる。四本の支柱１０で少なくとも二枚の棚板４０と合わせてラックが構成される際、先にこれらの棚板４０を四本の支柱１０の間に制限し、さらに両側の円弧型嵌め込み板４１と四本の支柱１０にあるスリーブ３０を差し込んで組み立てられることで組み立ての利便性とスムーズさが高められるだけでなく、速やかに組み立てられる効果がある。しかも二枚の棚板４０間に新たな棚板１０を加えたい場合、スリーブ３０をガスケット２０と合わせて直接に支柱１０に組み立てれば、棚板４０の増設ができ、組み立ての利便性が大幅に高められる。【選択図】図３
0003211885.tif 000002
【実用新案登録請求の範囲】
【請求項１】
四本の支柱、複数のガスケット、複数のスリーブ及び少なくとも二枚の棚板を含むラック連結構造であって、
上記四本の支柱は、表面に同じ間隔で複数のリング溝が設けられ、
上記複数のガスケットは、それぞれ二つの半円弧型シート体が互いに向かい合わせられて支柱に嵌められ、また内側表面にリブとリング溝が設けられて固定定位され、
上記複数のスリーブは、すべて第一円弧板及び第二円弧板によって組み立てられ、各ガスケット外に合わせて嵌められ、上記第一円弧板の両側端はすべて中段部分に組合部が設けられ、さらに上記両側端の下段部分より外へ向けてＬ型の第一リブ板が突設され、上記第二リブ板の両側端はすべて中段部分に組合部が設けられ、第一円弧板と組み合わせられ、さらに上記両側端の下段部分より外へ向けてＬ型の第二リブ板が突設され、第一円弧板と第二円弧板の組み合わせにより、上記スリーブの両側は第一リブ板と第二リブ板の端部が隣り合わされると二つの固定用切り込みが形成され、
上記少なくとも二枚の棚板は、上記二枚の棚板の両平行する側に対称する二枚の円弧型嵌め込み板が設けられ、四本の支柱間に合わせて設置され、これらの円弧型嵌め込み板は底端に二つの嵌め込み溝が設けられ、さらに二つの嵌め込み溝間に固定板体が形成されることを特徴とするラック連結構造。
【請求項２】
上記複数のガスケット及び複数のスリーブはすべて上が狭く、下が広い錐体状であることを特徴とする請求項１に記載のラック連結構造。
【請求項３】
上記複数のスリーブは上記第一円弧板の両側端の組合部にそれぞれバックル部と溝部が形成され、上記第二円弧板の両側端の組合部は合わせて溝部とバックル部が形成されることによって、第一円弧板と第二円弧板が互いに合致して連結されることを特徴とする請求項１に記載のラック連結構造。
【請求項４】
上記複数のスリーブは上記第一円弧板の両側端の組合部にすべてバックル部が形成され、上記第二円弧板の両側端の組合部にすべて対応する溝部が形成されることによって、第一円弧板と第二円弧板が互いに合致連結されることを特徴とする請求項１に記載のラック連結構造。
【請求項５】
上記複数の溝部の容積はバックル部の体積より大きく、バックル部が嵌め合わせられた後に下へ合致固定されるためであることを特徴とする請求項３または請求項４に記載のラック連結構造。
【請求項６】
上記第一円弧板の組合部と該第二円弧板の組合部は互いに置き換えられることを特徴とする請求項５に記載のラック連結構造。
【請求項７】
上記複数のスリーブは上記第一円弧板の両側端の組合部にそれぞれ斜めバックル部と斜め溝部が形成され、上記第二円弧板の両側端の組合部は対応する斜め溝部と斜めバックル部が形成されることによって第一円弧板と第二円弧板が互いに合致して連結されることを特徴とする請求項１に記載のラック連結構造。
【請求項８】
上記複数のスリーブは上記第一円弧板の両側端の組合部にすべて斜めバックル部が形成され、上記第二円弧板の両側端の組合部はすべて対応する斜め溝部が形成されることによって第一円弧板と第二円弧板が互いに合致して連結されることを特徴とする請求項１に記載のラック連結構造。
【請求項９】
上記第一円弧板の組合部と上記第二円弧板の組合部は互いに置き換えられることを特徴とする請求項７または請求項８に記載のラックの連結構造。
【考案の詳細な説明】
【技術分野】
【０００１】
本考案はラックに関し、特にラック連結構造の改良に関する。
【背景技術】
【０００２】
従来の組み立て式ラック構造は図１３に示されるように、該ラックは若干の支柱及び数枚の棚板を含み、組み立てて構成される。これらの支柱の軸には順番に複数の合致凹み溝が設けられ、さらに複数の位置決めスリーブが組み合わせて設けられる。また該位置決めスリーブは錐状を呈し、さらに二円弧状板体によって連結して構成される。また該板体の内縁において向かい合わせて合致される突起リブが突設され、棚板は金属棒状体によって溶接して組み立てて構成される。また棚板の角にそれぞれテーパ穴が溶接され、さらにテーパ穴によって位置決めスリーブに嵌めて固定される。これによって、該位置決めスリーブはこれらの支柱に合わせて設けられ、さらに内縁に突設された合致突起リブによって支柱の合致した凹み溝に合致される。棚板は角にあるテーパ穴によってそれぞれ支柱の位置決めスリーブに嵌めて組み立てられるため、該位置決めスリーブはテーパ穴の制限により、支柱の合致した凹み溝により緊密に合致して固定され、棚板はもっと安定的に支柱に組み立てられる。上述の構造により、物を置くための組み立て式ラック構造が構成される。
【０００３】
しかし、上述の従来構造において不足する部分があることはわかりやすく、主な原因は以下である。従来のラックは棚板を組み立てる時に、棚板は角にあるテーパ穴によって順番に支柱に嵌めさせることで支柱の位置決めスリーブに固定される。また固定後は緊迫状態になるため、位置決めスリーブは自由に位置調整できず、棚板は組み立てた後の再調整が不便となり、使用状態によって別の棚板を加えることができないため、実用性に欠ける。さらに、該ラックは設置した後に横へ延伸すること又はほかの棚板を加えることができないため、ラックの物置空間を増大させたい時、四つの支柱が四つの位置決めスリーブと合わせることで少なくとも二枚の棚板を組み立ててもう一つのラック構造が構成され、そして二つのラックを並べることで物置空間が増大できるようになるため、構造の実用性に欠けるだけでなく、余計な出費でラック構造を購入する必要があり、コストが増え、経済効果をもたらさない。
【０００４】
従って、本考案者は長年にわたって関係商品の製造開発と設計に携わった経験により、上述の目標について緻密に設計した上で、かつ慎重に検討した後、実用性に満ちた本考案を得た。
【考案の概要】
【考案が解決しようとする課題】
【０００５】
本考案が解決しようとする課題は現在技術における上述の欠点を解決し、ラック連結構造を提供する。
【課題を解決するための手段】
【０００６】
本考案のラック連結構造は四本の支柱、複数のガスケット、複数のスリーブ及び少なくとも二枚の棚板を含み、その中で、該四本の支柱表面に同じ間隔で複数のリング溝が設けられ、これらのガスケットはそれぞれ二つの半円弧型シート体が互いに向かい合わせて支柱に嵌められ、さらに内側表面にリブとリング溝が設けられて、固定定位される。これらのスリーブはすべて第一円弧板及び第二円弧板によって組み立てられ、そして各ガスケット外に合わせて嵌められる。該第一円弧板の両側端はすべて中段部分に組合部が設けられ、さらに該両側端の下段部分より外へ向けてＬ型の第一リブ板が突設される。該第二リブ板の両側端はすべて中段部分に組合部が設けられ、第一円弧板と組み合わせられる。さらに該両側端の下段部分より外へ向けてＬ型の第二リブ板が突設される。第一、第二円弧板の組み合わせにより、該スリーブの両側は第一、第二リブ板の端部が隣り合わされると二つの固定用切り込みが形成される。少なくとも二枚の棚板は両平行する側に対称する二枚の円弧型嵌め込み板が設けられ、四本の支柱間に合わせて設置される。これらの円弧型嵌め込み板は底端に二つの嵌め込み溝が設けられ、さらに二つの嵌め込み溝間に固定板体が形成される。上述の構造により、ラック連結構造が構成される。
【０００７】
（一）本考案のラック連結構造は、これらのスリーブは互いに向かい合わせられる第一、第二円弧板がこれらの支柱に挟んで組み立てられ、そして互いに同じ高さに合わせられる。四本の支柱で少なくとも二枚の棚板と合わせてラックが構成される際、先にこれらの棚板を四本の支柱の間に制限し、さらに両側の円弧型嵌め込み板と四本の支柱にあるスリーブによって差し込んで組み立てられることで構造組み立ての利便性とスムーズさが高められるだけでなく、同時に速やかに組み立てられる効果がある。しかも二枚の棚板間に新たな棚板を加えたい場合、スリーブがガスケットと合わせて直接に支柱に組み立てれば、棚板の増設ができ、構造組み立ての利便性が大幅に高められる。
【０００８】
（二）本考案のラック連結構造は、これらのスリーブ両側に第一、第二円弧板の第一、第二リブ板が隣り合わせられることで二つの固定用切り込みが形成され、さらに二つの固定用切り込みがこれらの支柱の内、外側に位置させることで、該ラックが組み立てられた後は再びスリーブによって、外側の固定用切り込みが二本の支柱と合わせれば棚板が増やされ、ラックを増設して使用の利便性を図り、さらに構造の体積及びコストが有効的に削減でき、ラックの実用性が大幅に高められる。
【図面の簡単な説明】
【０００９】
【図１】本考案に係るラック連結構造を示す立体図である。
【図２】本考案に係るラック連結構造を示す分解図である。
【図３】本考案に係るラック連結構造を示す局部分解図である。
【図４】本考案のスリーブの組み立てを示す図である。
【図５】本考案のスリーブの組み立てを示す図である。
【図６】本考案の差し込み組み立てを示す図である。
【図７】本考案の差し込み固定を示す図である。
【図８】本考案のスリーブの一つ目の実施例である。
【図９】本考案のスリーブの二つ目の実施例である。
【図１０】本考案のスリーブの三つ目の実施例である。
【図１１】本考案のラックが延伸して増設を示す図である。
【図１２】本考案の棚板の外しを示す図である。
【図１３】従来技術を示す図である。
【考案を実施するための形態】
【００１０】
まず、図１、２、３を参照されたい。ラック連結構造は、四本の支柱１０、複数のガスケット２０、複数のスリーブ３０及び少なくとも二枚の棚板４０を含み、その中で、該四本の支柱１０表面に同じ間隔で複数のリング溝１１が設けられ、これらのガスケット２０はそれぞれ二つの半円弧型シート体２１が互いに向かい合わせられて支柱１０に嵌められ、内側表面にリブ２２とリング溝１１が設けられて、固定定位される。これらのスリーブ３０はすべて第一円弧板３１及び第二円弧板３２によって組み立てられ、そして各ガスケット２０外に合わせて嵌められる。またこれらのガスケット２０及びこれらのスリーブ３０はすべて上が狭く、下が広い錐体状である。該第一円弧板３１の両側端はすべて中段部分に組合部３１１が設けられ、さらに該両側端の下段部分より外へ向けてＬ型の第一リブ板３１２が突設される。該第二円弧板３２の両側端はすべて中段部分に組合部３２１が設けられ、第一円弧板３１と互いに組み合わせる。また該両側端の下段部分より外へ向けてＬ型の第二リブ板３２２が突設される。そして第一円弧板３１、第二円弧板３２の組み合わせにより、該スリーブ３０の両側は第一リブ板３１２、第二リブ板３２２の端部分が隣り合わされ二つの固定用切り込み３３が形成される。少なくとも二枚の棚板４０の平行する両側には対称する二枚の円弧型嵌め込み板４１が設けられ、四本の支柱１０間に合わせて組み立てられる。これらの円弧型嵌め込み板４１は底端より二つの嵌め込み溝４１１が設けられ、さらに二つの嵌め込み溝４１１間に固定板体４１２が形成される。
【００１１】
構造の組み立てについては引き続き図１、２、３に合わせて図４、５、６、７を参照されたい。該四本の支柱１０は各棚板４０に対応して同じ高さのリング溝１１にそれぞれガスケット２０が嵌められる。そして順番にこれらのスリーブ３０をガスケット２０の外に嵌めて位置限定する。その中、一つの実施方式は、これらのスリーブ３０は該第一円弧板３１の両側端の組合部３１１にそれぞれバックル部と溝部が形成され、該第二円弧板３２の両側端の組合部３２１は対応して溝部とバックル部が形成される。またこれらの溝部の容積はバックル部の体積より大きく、バックル部が嵌め合わせた後に下へ合致して固定されるためである。これによって、第一円弧板３１、第二円弧板３２は互いに合致して連結され、同時に各スリーブ３０の両側に第一リブ板３１２、第二リブ板３２２が隣り合わせることで二つの固定用切り込み３３が形成され、さらに該二つの固定用切り込み３３をこれらの支柱１０内側、外側にそれぞれ位置させる。最後に少なくとも二枚の棚板４０は両側の四つの円弧型嵌め込み板４１が該四つの支柱１０にあるスリーブ３０に差し込んで組合され、これらの円弧型嵌め込み板の固定板体４１２によって上から下へ第一リブ板３１２、第二リブ板３２２の間に形成された固定用切り込み３３内に嵌めさせる。これによって、少なくとも二枚の棚板４０は順番に四円弧型嵌め込み板４１が四支柱１０にあるスリーブ３０に差し込んで固定されることでラックの構造が完成される。
【００１２】
スリーブ３０のもう一つの実施例は図８を参照されたい。これらのスリーブ３０は該第一円弧板３１の両側端の組合部３１１にすべてバックル部が形成され、該第二円弧板３２の両側端の組合部３２１にすべて対応する溝部が形成される。これによって、第一円弧板３１、第二円弧板３２が互いに合致連結され、また該第一円弧板３１の組合部３１１と該第二円弧板３２の組合部３２１は互いに置き換えられる。
【００１３】
スリーブ３０の二つ目の実施例は図９を参照されたい。これらのスリーブ３０は該第一円弧板３１の両側端の組合部３１１にそれぞれ斜めバックル部と斜め溝部が形成され、該第二円弧板３２の両側端の組合部３２１には対応する斜め溝部と斜めバックル部が形成される。これによって、第一円弧板３１と第二円弧板３２が互いに合致連結される。
【００１４】
スリーブ３０の三つ目の実施例は図１０を参照されたい。これらのスリーブ３０は該第一円弧板３１の両側端の組合部３１１にすべて斜めバックル部が形成され、該第二円弧板３２の両側端の組合部３２１にすべて対応する斜め溝部が形成される。これによって、第一円弧板３１、第二円弧板３２が互いに合致連結され、また該第一円弧板３１の組合部３１１と該第二円弧板３２の組合部３２１は互いに置き換えられる。
【００１５】
さらに、スリーブ３０の両固定用切り込み３３はそれぞれ支柱１０の内側、外側に位置されるため、該ラックは組み立てた後に横へ延伸して増設することができることは図１１を参照されたい。この場合は該ラックの横に二本の支柱１０を配置させ、またガスケット２０とスリーブ３０が組み立てられる。さらにこれらのスリーブ３０とラックにあるスリーブ３０は互いに水平状及び同一方向に固定される。これによって、もう一つの棚板４０を円弧型嵌め込み板４１によってラックと二本の支柱１０間に組み立てられ、六本の支柱１０が複数の棚板４０と合わせれば二列ラックの使用状態になり、さらにこれらの棚板４０の位置は互いに同じ高さになれるため、物を置く時の利便性が高められる。
【００１６】
また、棚板４０がラックから外す時は図１２を参照されたい。これらの棚板４０は円弧型嵌め込み板４１の固定板体４１２とスリーブ３０の固定用切り込み３３が差し込み方式によって固定されるため、直接に棚板４０を上へ押し上げてスリーブ３０が外れればラックより外せられ、支柱１０に沿って上へ通さなくても棚板４０が外せられ、構造を外す時の利便性が高められる。また組み立てる時は直接に四支柱１０の間に置いて、四つのスリーブ３０に差し込んで組み立てられるため、構造の組み立て方、外し方の効率が高められる。
【００１７】
上述の具体的な実施例の構造により、以下の効果が得られる。（一）これらのスリーブ３０は互いに向かい合わせる第一円弧板３１、第二円弧板３２がこれらの支柱１０に挟んで組み立てられ、そして互いに同じ高さに合わせられる。四本の支柱１０で少なくとも二枚の棚板４０と合わせてラックが構成される際、先にこれらの棚板４０を四本の支柱１０の間に制限し、さらに両側の円弧型嵌め込み板４１と四本の支柱１０にあるスリーブ３０によって差し込んで組み立てられることで構造組み立ての利便性とスムーズさが高められるだけでなく、同時に速やかに組み立てられる効果がある。しかも二枚の棚板４０間に新たな棚板４０を加えたい場合、スリーブ３０がガスケット２０と合わせて直接に支柱１０に組み立てれば、棚板４０の増設ができ、構造組み立ての利便性が大幅に高められる。
【００１８】
（二）これらのスリーブ３０の両側は第一円弧板３１、第二円弧板３２の第一リブ板３１２、第二リブ板３２２が隣り合わされることで二つの固定用切り込み３３が形成され、さらに二つの固定用切り込み３３がこれらの支柱１０の内側、外側に位置されることで、該ラックが組み立てられた後に再びスリーブ３０によって、外側の固定用切り込み３３が二本の支柱１０と合わせれば棚板４０が増やせられ、ラックを増設して使用の利便性が生じ、さらに構造の体積及びコストが有効的に削減でき、ラックの実用性が大幅に高められる。
【００１９】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２０】
１０        支柱
１１        リング溝
２０        ガスケット
２１        半円弧型シート体
２２        リブ
３０        スリーブ
３１        第一円弧板
３１１      組合部  
３１２      第一リブ板
３２        第二円弧板
３２１      組合部
３２２      第二リブ板
３３        固定用切り込み
４０        棚板
４１        円弧型嵌め込み板
４１１      嵌め込み溝
４１２      固定板体
【図１】
0003211885.tif 000003
【図２】
0003211885.tif 000004
【図３】
0003211885.tif 000005
【図４】
0003211885.tif 000006
【図５】
0003211885.tif 000007
【図６】
0003211885.tif 000008
【図７】
0003211885.tif 000009
【図８】
0003211885.tif 000010
【図９】
0003211885.tif 000011
【図１０】
0003211885.tif 000012
【図１１】
0003211885.tif 000013
【図１２】
0003211885.tif 000014
【図１３】
0003211885.tif 000015